(57)【特許請求の範囲】
【請求項１】
ろくろ台、モ−タ−等の回転駆動手段上にそれによって回転駆動される回転板を載置し、前記回転板上に陶土塊を挾持するマットを配置し、前記マット上に前記マットの上面に接して自由回転する圧延ローラーを複数軸支するローラー支持アームを配備し、前記ローラー支持アームの一端部は前記回転駆動手段の近傍に立設された立板に取り付け、その他端部には押下力付与手段を配して成る陶土圧延装置。
【請求項２】
前記回転板と前記ローラー支持アームの間隔を調整可能にした請求項１に記載の陶土圧延装置。
【請求項３】
前記圧延ローラーを前記ローラー支持アームに十字状に配設した請求項１又は２に記載の陶土圧延装置。
【発明の詳細な説明】
【０００１】
【発明の属する技術分野】
本発明は陶土圧延装置、より詳細には、食器や花入れ等の陶器を所謂タタラづくりと呼ばれる方法で成形して焼成するに当たり、タタラと呼ばれる板状の陶土を簡単に効率よく生成するための陶土圧延装置に関するものである。
【０００２】
【従来の技術】
タタラは一般的には手作業で作られるが、これを機械的に行う装置もある。それは、対をなして回転するロ−ラ−間に陶土塊を通して圧延するもので、その動作を同一方向に連続的に反復するものと、上記圧延後一旦停止し、同じ動作を反復するものとがある。
【０００３】
【発明が解決しようとする課題】
上記従来の陶土圧延装置はいずれも高価であるだけでなく、１の圧延動作と次の圧延動作との間に圧延の行われない無駄な時間ができるので、作業全体に時間がかかり、作業効率が悪く、しかも円形のタタラを作ることができず、殊に、同一方向に連続的に反復していくものの場合は大きな設置スペ−スが必要となる、という問題がある。
そこで本発明は、簡単且つコンパクトな構成で設置に場所を取らず、しかも効率よく陶土の圧延を行うことができ、円形のタタラを作ることができる陶土圧延装置を提供することを課題とする。
【０００４】
【課題を解決するための手段】
本発明は、ろくろ台、モ−タ−等の回転駆動手段上にそれによって回転駆動される回転板を載置し、前記回転板上に陶土塊を挾持するマットを配置し、前記マット上に前記マットの上面に接して自由回転する圧延ローラーを複数軸支するローラー支持アームを配備し、前記ローラー支持アームの一端部は前記回転駆動手段の近傍に立設された立板に取り付け、その他端部には押下力付与手段を配して成る陶土圧延装置、を以て上記課題を解決した
【０００５】
【発明の実施の形態】
本発明の実施の形態を添付図面に依拠して説明する。図１はその斜視図であり、図中１はベ−ス、２はベ−ス１の一端部に立設した立板であり、ベ−ス１上に回転駆動手段としての電動又は手動のろくろ台３が配備され、ろくろ台３上に回転板４が載置される。回転駆動手段としてろくろ台３の代わりに、減速装置付きのモ−タ−を用いることもできる。回転板４の周縁部には、回転板４の脱落防止用のストッパ−５が複数設置されることもある。後述するように、このストッパ−５を設ける代わりに、ゴムバンドが用いられることもある。
【０００６】
圧延すべき陶土塊６は、ベニヤ等の薄板、プラスチックシ−ト、金属箔、不織布、繊維等の付着防止用マット７、８で挾んだ状態で回転板４上に置かれる。９は立板２に取り付けられたロ−ラ−支持ア−ムで、これに自由回転する多数の圧延ロ−ラ−１０が下向きに軸支される。図示したロ−ラ−支持ア−ム９は棒状であるが、板状であってもよい。
【０００７】
好ましくは、陶土塊６に対する圧延がムラなく行われるようにするため、圧延ロ−ラ−１０の配置に工夫が施される。即ち、ロ−ラ−支持ア−ム９に対する圧延ロ−ラ−１０ａ〜ｇの取付位置が、ろくろ台３の回転軸を中心に左右対称とならないように、例えば圧延ロ−ラ−１０ａ〜ｇの幅寸の２分の１程横にずらす（図２参照）。そうした場合、図３に示すように、最も軸心に近い圧延ロ−ラ−１０ａによって中心部の圧延がなされ、次に軸心に近い圧延ロ−ラ−１０ｂにより、圧延ロ−ラ−１０ａによって圧延された部分の外側が圧延され、更に続く圧延ロ−ラ−１０ｃ〜ｇによって順番に外側が圧延されていくこととなり、圧延ムラが起きない。
【０００８】
圧延ムラをなくす別の方法として、図５（Ａ）に示すようにロ−ラ−支持ア−ム９、９ａを十字形にし、一方のロ−ラ−支持ア−ム９の方の圧延ロ−ラ−の圧延部分と他方のロ−ラ−支持ア−ム９ａの方の圧延ロ−ラ−の圧延部分とが異なることとなるよう、両ア−ムの交点からの距離を変えて各圧延ロ−ラ−を取り付けることも考えられる。
【０００９】
図５（Ｂ）に示すものは、図５（Ａ）に示すものと同じ考え方の下に、ロ−ラ−支持ア−ムを十字に組む代わりに、円板１１に圧延ロ−ラ−を取り付けることとしたものである。なお、図５（Ｃ）に示すように、圧延ロ−ラ−の取付間隔を密にすることにより、圧延ロ−ラ−を回転板４の半径分のみ配備することとしてもよい。
【００１０】
ロ−ラ−支持ア−ム９は、必要に応じ立板２に対する取付高さを変更可能にし、また、水平状態から上方に回動可能にする。取付高さを変更可能にするのは、陶土塊６の仕上り厚を調整可能にするためであり、また、上方に回動可能にするのは、ろくろ台３を本来の使用法により使用する場合を考慮し、その作業の邪魔にならないようにするためである。
【００１１】
ロ−ラ−支持ア−ム９の取付高さを変更可能にする方法は任意で、例えば、立板２に取付穴１４を縦方向に複数開け、ナット止めする方法を採用できる（図１、図２参照）。上方に回動可能にする手段も任意で、例えばヒンジ１５を利用することができる。１２はロ−ラ−支持ア−ム９の先端部に取り付けた調整杆で、ロ−ラ−支持ア−ム９に対し上下動可能にされ、且つ、回転板４の端縁に当接する位置に配置され、以て陶土塊６の圧延厚を調整する。
【００１２】
図３は圧延厚調整のための他の構成例を示すもので、ロ−ラ−支持ア−ム９を立板２に設置した回動部材１３の中央部にＴ字形を呈するように取り付ける。回動部材１３は一端部を立板２に枢着し、他端部を円弧状に上下動可能にし、その上下動操作により圧延ロ−ラ−１０と回転板４との間隔を調整する。
【００１３】
上記装置の使用に際しては、予め圧延厚の調整をした後、陶土塊６をマット７、８間に挾んで回転板４上に載せる。そして、ロ−ラ−支持ア−ム９を降ろして圧延ロ−ラ−１０を上側のマット８上に当接させ、ロ−ラ−支持ア−ム９の先端部に適宜重り等により重量ｗを掛ける。重りを掛ける代わりに、下部をベ−ス１等に掛止したゴム輪を掛けることとしてもよい。
【００１４】
かくしてろくろ台３を回転させると、重りにより付与される圧延ロ−ラ−１０の押下力と、回転による遠心力とにより陶土塊６は次第に展延され、円板化されていく。その際マット７、８は、ストッパ−５の作用で遠心力によって飛び出すことを抑止される。ストッパ−５を設けない場合は、例えば回転板４とマット８とに引掛部を設ける等してゴムバンドを掛け渡す等の手段により、マット７、８の飛び出しを防止することができる。
【００１５】
【発明の効果】
本発明は上述した通りであり、簡易な構成で設置スペ−スを取らず、手入れも容易で廉価にて提供でき、しかも効率のよい圧延作業が可能で、従来の装置では得られない良質のタタラを迅速に得ることができ、更に円形のタタラを作ることができる効果がある。
【図面の簡単な説明】
【図１】  本発明の一実施形態の斜視図である。
【図２】  本発明の他の実施形態の側面図である。
【図３】  図２に示す実施形態の圧延ロ−ラ−による圧延状況を示す図である。
【図４】  本発明の更に他の実施形態の正面図である。
【図５】  圧延ロ−ラ−の配置方法の例を示す図である。
【符号の説明】
１  ベ−ス
２  立板
３  ろくろ台
４  回転板
５  ストッパ−
６  陶土塊
７  マット
８  マット
９  ロ−ラ−支持ア−ム
10  圧延ロ−ラ−
【図１】
0003854378.tif 000002
【図２】
0003854378.tif 000003
【図３】
0003854378.tif 000004
【図４】
0003854378.tif 000005
【図５】
0003854378.tif 000006